(57)【要約】【課題】  高温吐水域の設定時に、温度調節を正確に行うことができるとともに、バルブボディに対する諸部品の組み立てを、容易かつ短時間に行うことができる湯水混合栓を提供する。【解決手段】  バルブボディ１６，１７内に、水側バルブシート及び湯側バルブシートと、弁体２６と、感温バネ３０と、一対のバイアスバネ３１，３２と、吐水温度設定部材３４とを設ける。一対のバイアスバネ３１，３２は、バルブボディ１６，１７内に同軸上にて並列に配設された外径及び長さの異なるコイルバネから構成する。弁体２６が低温吐水域に位置するときには、弁体２６に対する両バイアスバネ３１，３２の付勢力が作用しなくなり、弁体２６が中温吐水域に位置するときには、一方のバイアスバネ３１の付勢力が弁体２６に作用し、弁体２６が高温吐水域に位置するときには、両バイアスバネ３１，３２の付勢力が弁体２６に作用するように構成する。【選択図】      図２
2005133848.tif 000002
【特許請求の範囲】
【請求項１】
バルブボディ内に配設された水側バルブシート及び湯側バルブシートと、それらのバルブシートに接離可能に対応するように、バルブボディ内に同軸上で軸線方向へ移動可能に配設された弁体と、その弁体を湯側バルブシートと接近する方向に付勢する形状記憶材料よりなる感温バネと、弁体を水側バルブシートと接近する方向に付勢する一対のバイアスバネと、それらのバイアスバネを介して前記弁体を移動させて吐水温度を設定する吐水温度設定部材とを備えた湯水混合栓において、
前記一対のバイアスバネはバルブボディ内に同軸上にて並列に配設された外径及び長さの異なるコイルバネからなり、弁体に対して両バイアスバネの付勢力が作用していないときには、弁体が低温吐水域に位置され、一方のバイアスバネの付勢力が弁体に作用しているときには弁体が中温吐水域に位置され、両バイアスバネの付勢力が弁体に作用しているときには弁体が高温吐水域に位置されるようにしたことを特徴とする湯水混合栓。
【請求項２】
前記少なくとも一方のバイアスバネの位置決めを行うための位置決め手段を設けたことを特徴とする請求項１に記載の湯水混合栓。
【発明の詳細な説明】
【技術分野】
【０００１】
この発明は、吐水温度を調節設定可能にした湯水混合栓に係り、特に形状記憶材料よりなる感温バネとバイアスバネとにより弁体を両側から付勢するようにしたサーモスタット式の湯水混合栓に関するものである。
【背景技術】
【０００２】
従来、この種の湯水混合栓としては、バルブボディ内に水側バルブシート及び湯側バルブシートが配設されている。これらのバルブシートに接離可能に対応するように、バルブボディ内には弁体が軸線方向へ移動可能に配設されている。また、バルブボディ内には、弁体を湯側バルブシートと接近する方向に付勢する感温バネと、弁体を水側バルブシートと接近する方向に付勢する一対のバイアスバネと、それらのバイアスバネをバルブボディの軸線方向に進退移動させるための吐水温度設定ハンドルとが配設されている。
【発明の開示】
【発明が解決しようとする課題】
【０００３】
ところで、この種の湯水混合栓において、弁体が高温吐水域に位置した状態では、感温バネが大きく圧縮されて、弁体に対する感温バネの付勢力が増大される。従って、前記従来構成では、弁体が感温バネの付勢力の増大に伴い水側バルブシートから離間する方向に移動されて冷水が流入し、高温吐水域での温度調節を正確に行うことができないという問題があった。
【０００４】
さらに、従来構成では、一対のバイアスバネがバルブボディ内に蓄力状態で配列されている。このため、これらの湯水混合栓を組み立てる場合には、バルブボディ内に弁体、感温バネ、一対のバイアスバネ等を含む諸部品を、感温バネ及び各バイアスバネの蓄力状態で組み込む必要があって、その組み立て作業が面倒で時間がかかるという問題もあった。
【０００５】
この発明は、このような従来の技術に存在する問題点に着目してなされたものである。その目的は、高温吐水域の設定時に、水が流入するのを防止することができて、温度調節を正確に行うことができるとともに、バルブボディに対する諸部品の組み立てを、感温バネ及び一対のバイアスバネの非蓄力状態で容易かつ短時間に行うことができる湯水混合栓を提供することにある。
【課題を解決するための手段】
【０００６】
上記の目的を達成するために、請求項１に記載の発明は、バルブボディ内に配設された水側バルブシート及び湯側バルブシートと、それらのバルブシートに接離可能に対応するように、バルブボディ内に同軸上で軸線方向へ移動可能に配設された弁体と、その弁体を湯側バルブシートと接近する方向に付勢する形状記憶材料よりなる感温バネと、弁体を水側バルブシートと接近する方向に付勢する一対のバイアスバネと、それらのバイアスバネを介して前記弁体を移動させて吐水温度を設定する吐水温度設定部材とを備えた湯水混合栓において、前記一対のバイアスバネはバルブボディ内に非蓄力状態で同軸上にて並列に配設された外径及び長さの異なるコイルバネからなり、弁体に対して両バイアスバネの付勢力が作用していないときには、弁体が低温吐水域に位置され、一方のバイアスバネの付勢力が弁体に作用しているときには弁体が中温吐水域に位置され、両バイアスバネの付勢力が弁体に作用しているときには弁体が高温吐水域に位置されるようにしたことを特徴とするものである。
【０００７】
請求項２に記載の発明は、請求項１に記載の発明において、前記少なくとも一方のバイアスバネの位置決めを行うための位置決め手段を設けたことを特徴とするものである。
（作用）
請求項１に記載の発明においては、高温吐水域の設定時に、並列配置された一対のバイアスバネの大きな付勢力が弁体に対して、感温バネの付勢力と反対方向に作用する。よって、この高温吐水域の設定状態で、感温バネが大きく圧縮されて、弁体に対する感温バネの付勢力が増大されても、弁体が水側バルブシートから離間する方向に移動されることはない。従って、弁体の移動に伴い不要な冷水が流入するおそれを確実に防止することができて、温度調節を正確に行うことができる。
【０００８】
また、この湯水混合栓の組み立て時には、バイアスバネのバネ力を作用しないように設定することが可能になり、バルブボディ内に弁体、感温バネ、一対のバイアスバネ等を含む諸部品を、感温バネ及び各バイアスバネの非蓄力状態で順に組み込むことができる。よって、その組み立て作業を容易かつ短時間に行うことができる。
【０００９】
請求項２に記載の発明においては、バイアスバネが非蓄力状態で、位置が定まらなくても、そのバイアスバネをバルブボディ内の所定位置に対して位置ずれを生じることなく、同軸上で並列に位置決め配置することができる。
【発明の効果】
【００１０】
以上のように、この発明によれば、高温吐水域の設定時に、不要な冷水が流入するのを防止することができて、その高温吐水域での温度調節を正確に行うことができる。また、バルブボディ内への弁体を含む諸部品の組み立てを、感温バネ及び一対のバイアスバネの非蓄力状態で容易かつ短時間に行うことができる。
【発明を実施するための最良の形態】
【００１１】
以下に、この発明の一実施形態を、図面に基づいて説明する。
図１に示すように、この実施形態の湯水混合栓１１は、浴室の壁面等に設置され、蛇口先端５１またはシャワーヘッド５２に対して水、湯及び水と湯との混合水を供給して、そこから放出させる。
【００１２】
図２に示すように、前記湯水混合栓１１の外側ケーシング１２の内部には、蛇口先端５１またはシャワーヘッド５２から放出される混合水の温度を調節するための温度調節ユニット１４が備えられるとともに、蛇口先端５１またはシャワーヘッド５２の放水切り換えと、水、湯及び水と湯との混合水の放出及び放出停止と、放出量の調節とを行うための供給ユニット５３が備えられている。そして、水及び湯が外側ケーシング１２の内部に導入されて、そこから温度調節ユニット１４を介してそれらの水または湯がそのまま直接あるいは温度調節ユニット１４で適温に混合されて供給ユニット５３に導かれ、蛇口先端５１またはシャワーヘッド５２から放出される。ただし、供給ユニット５３は、この発明とは無関係なので、供給ユニット５３についてこれ以上言及せず、以下に温度調節ユニット１４について説明する。
【００１３】
キャップ状の調節ハンドル１５は、前記外側ケーシング１２の外部において温度調節ユニット１４の端部に取り付けられ、この調節ハンドル１５を回動操作することにより、蛇口先端５１またはシャワーヘッド５２から放出される混合水の温度を調節することができる。
【００１４】
図４に示すように、温度調節ユニット１４は、中間部において２つに分割された円筒状の第１バルブボディ１６及び第２バルブボディ１７を備えている。この第１バルブボディ１６及び第２バルブボディ１７は、それらの対向端部に形成された外周ネジ部１６ａと内周ネジ部１７ａとの螺合により一体に連結されている。
【００１５】
図４に示すように、それぞれ複数の水側ポート１８及び湯側ポート１９は、前記第１バルブボディ１６の外周に軸線方向へ間隔をおいて形成されている。水側ポート１８は、外側ケーシング１２内部の水導入通路２０を介して給水源（図示しない）に接続されている。湯側ポート１９は、同じく外側ケーシング１２内の湯導入通路５４を介して給湯機（図示しない）に接続されている。吐水口２１は第１バルブボディ１６の端部に形成され、外側ケーシング１２内の吐水通路２２に接続されている。
【００１６】
水側バルブシート２３は、前記水側ポート１８と近接対応するように第１バルブボディ１６内に形成されている。筒状部材２４は、第１バルブボディ１６と第２バルブボディ１７との連結部の内部においてそれらの同軸上に配設固定されている。湯側バルブシート２５は、前記湯側ポート１９と近接対応するように筒状部材２４の端面に形成されている。
【００１７】
ピストン状の弁体２６は、前記両バルブシート２３，２５に接離可能に対応するように、第１バルブボディ１６内に同軸上で軸線方向へ移動可能に配設されている。複数の水供給孔２７は、水側ポート１８から第１バルブボディ１６内の湯水混合室２８内に水を供給するように、弁体２６の外周に形成されている。湯供給孔２９は、湯側ポート１９から湯水混合室２８内に湯を供給するように、弁体２６の中心に形成されている。
【００１８】
形状記憶合金等の形状記憶材料よりなるコイルバネ状の感温バネ３０は、前記弁体２６を湯側バルブシート２５側へ付勢するように、湯水混合室２８内において第１バルブボディ１６内の端部と弁体２６との間に介装されている。第１バイアスバネ３１及び第２バイアスバネ３２は、弁体２６を水側バルブシート２３側へ付勢するように、筒状部材２４内において弁体２６の感温バネ３０と反対側の端面に、バネ受け板３３を介して接合配置されている。
【００１９】
前記第１バイアスバネ３１及び第２バイアスバネ３２は、径及び長さの異なるコイルバネから構成されている。すなわち、第１バイアスバネ３１の内径及び長さが、第２バイアスバネ３２の外径及び長さよりもそれぞれ大きくなるように形成されている。そして、これらのバイアスバネ３１，３２の軸線が、バルブボディ１６，１７の軸線上に位置するように、バイアスバネ３１，３２が内外に重なるように配設されている。ここでは、このように内外に重なって配置されたバイアスバネ３１，３２の配置構造を並列状に配置されているということにする。
【００２０】
吐水温度設定部材３４は、前記両バイアスバネ３１，３２をバルブボディ１６，１７の軸線方向に伸縮させて吐水温度を調節設定するように、第２バルブボディ１７内に配設されている。この吐水温度設定部材３４は、回転操作可能な操作スピンドル３５と、その操作スピンドル３５の回転に伴って弁体２６と接離する方向に移動される円筒状の送り部材３６とを備えている。操作スピンドル３５は第２バルブボディ１７内の端部にその同軸上で回転可能に支持され、突出端部に前記調節ハンドル１５が取り付けられている。送り部材３６は第２バルブボディ１７内にその軸線方向に沿って移動可能に支持され、この送り部材３６の内周ネジ部３６ａに操作スピンドル３５の内端の外周ネジ部３５ａが螺合されている。
【００２１】
バネ押し部材３７は、前記両バイアスバネ３１，３２の端縁と接離可能に対応するように、送り部材３６の弁体２６側の端縁に嵌着されている。円筒状の位置決め部３８は、大径側の第１バイアスバネ３１の弁体２６と反対側端部を外周側から所定位置に位置決めするように、送り部材３６の端部に突出形成され、第１バイアスバネ３１を収容している。ほぼ円錐状の保持部３９は、送り部材３６が弁体２６と接近する方向へ移動されたとき、小径側の第２バイアスバネ３２の弁体２６と反対側端部内に進入して、その端部を保持するように、送り部材３６の端面中央に突出形成されている。
【００２２】
位置決め面４０は、前記第１バイアスバネ３１の弁体２６側の端部を外周側から所定位置に位置決めするように、筒状部材２４の内周面に形成されている。円筒状の位置決め部４１は、第２バイアスバネの弁体２６側の端部を内周側から所定位置に位置決めするように、弁体２６の端面中央に突出形成されている。そして、前記位置決め部３８、保持部３９、位置決め面４０及び位置決め部４１により、位置決め手段が構成され、この位置決め手段により両バイアスバネ３１，３２が第１バルブボディ１６内の所定位置、つまり第１バルブボディ１６の軸線上において、位置ずれを生じることなく同軸上で並列に位置決め配置されるようになっている。また、後述する説明から明らかになるが、温度調節ユニット１４が低温設定状態にあるときには、バネ押し部材３７のバネ側端面３７ａが第１バイアスバネ３１の端部から離間している。
【００２３】
次に、前記のように構成された湯水混合栓１１における温度調節ユニット１４の組み立て方法について説明する。
さて、この温度調節ユニット１４の組み立て時には、図３に示すように、第１バルブボディ１６の内部にその開口端部側（図４の左側の開口端部側）から、感温バネ３０、弁体２６、バネ受け板３３、第２バイアスバネ３２、第１バイアスバネ３１及び筒状部材２４を順に組み付ける。このとき、第１バイアスバネ３１の弁体２６側の端部が、筒状部材２４の内周の位置決め面４０との係合により外周側から位置決めされる。それとともに、第２バイアスバネ３２の弁体２６側の端部が、弁体２６の端面の位置決め部４１との係合により内周側から位置決めされる。よって、前記感温バネ３０、弁体２６、両バイアスバネ３１，３２等を含む組み付け部品は、第１バルブボディ１６内にその軸線と同軸上の所定位置に配列保持される。
【００２４】
続いて、第２バルブボディ１７の内部にその開口端部側（図４の右側の開口端部側）から、吐水温度設定部材３４の操作スピンドル３５、送り部材３６及びバネ押し部材３７を順に組み付け、操作スピンドル３５の外周にＣリング５５が取り付けられる。その後、第２バルブボディ１７の内周ネジ部１７ａを第１バルブボディ１６の外周ネジ部１６ａに螺合させて、両バルブボディ１６，１７を結合する。すると、第１バイアスバネ３１の弁体２６と反対側端部がバネ押し部材３７の端縁の位置決め部３８内に進入係合して、外周側から位置決めされる。それとともに、第２バイアスバネ３２の弁体２６と反対側端部がバネ押し部材３７の端面の保持部３９に嵌入可能に対向配置される。
【００２５】
この場合、図５に示すように、両バイアスバネ３１，３２の弁体２６と反対側の端部がバネ押し部材３７の端面３７ａに接触されることなく、その端面から離間した状態に配置される。このため、それらのバイアスバネ３１，３２は圧縮されることなく、非蓄力状態に維持される。従って、バルブボディ１６，１７内に感温バネ３０及び両バイアスバネ３１，３２を圧縮させながら、弁体２６等の諸部品を組み込む必要がなく、その組み立て作業を容易に能率良く行うことができる。
【００２６】
次に、前記のように構成された湯水混合栓１１の作用を説明する。
さて、図４及び図５には調節ハンドル１５により、操作スピンドル３５が例えば３０℃よりも低い低温吐水域に回転調節された状態が示されている。この状態では、弁体２６が感温バネ３０の付勢力により、水側バルブシート２３から離間するとともに、湯側バルブシート２５に接合した位置に配置されている。このとき、両バイアスバネ３１，３２は非蓄力状態にあって、弁体２６に対するバイアスバネ３１，３２の付勢力が作用しなくなっている。従って、図１０に示すように、この低温吐水域では、操作スピンドル３５を回転操作しても吐水温度が変化せず、水側ポート１８から流入する水のみが、湯と混合されることなく吐水口２１から吐出される。従って、蛇口先端５１またはシャワーヘッド５２からは、冷水が放出される。
【００２７】
さらに、図６及び図７に示すように、操作スピンドル３５を例えば３０〜５０℃の中温吐水域に回転調節すると、ネジ部３５ａ，３６ａの螺合によるネジ作用を介して送り部材３６が弁体２６側に前進移動される。これにより、バネ押し部材３７の端面３７ａが第１バイアスバネ３１の端部に当接されて、その第１バイアスバネ３１が圧縮される。このとき、第２バイアスバネ３２は依然として非蓄力状態に維持されている。このため、第１バイアスバネ３１のみの比較的弱い付勢力が弁体２６に対して、感温バネ３０の付勢力と反対方向に作用する。従って、図１０に示すように、この中温吐出域では、操作スピンドル３５の回転操作角度に対する弁体２６のシフト量、言い換えれば吐水温度の調節量の勾配が小さくなって、吐水温度を微細に調節設定することができる。
【００２８】
この中温吐出域の設定時には、操作スピンドル３５の回動調節量に応じて、第１バイアスバネ３１の付勢力により、弁体２６が水側バルブシート２３と接近する方向に移動され、水側バルブシート２３と湯側バルブシート２５との中間位置に配置される。この状態で、水側ポート１８から流入する所定量の水と、湯側ポート１９から流入する所定量の湯とが、湯水混合室２８内で混合されて、設定した中温度の混合水が吐水口２１から吐出され、蛇口先端５１またはシャワーヘッド５２から放出される。
【００２９】
また、この中温吐出域の設定状態において、混合水の吐水温度が設定温度に対してずれを生じると、吐水温度に応じて感温バネ３０が伸縮変形して、弁体２６の位置が変更され、吐水温度が設定温度となるように自動調節される。すなわち、吐水温度が設定温度よりも高くなった場合には、感温バネ３０が伸張変形して、弁体２６が湯側バルブシート２５と接近する方向に移動され、水の流入量が増加されるとともに湯の流入量が減少される。これに対して、吐水温度が設定温度よりも低くなった場合には、感温バネ３０が収縮変形して、弁体２６が湯側バルブシート２５から離間する方向に移動され、水の流入量が減少されるとともに湯の流入量が増加される。
【００３０】
続いて、図８及び図９に示すように、操作スピンドル３５を例えば５０℃よりも高い高温吐水域に回転調節すると、送り部材３６が弁体２６側へさらに前進移動される。これにより、バネ押し部材３７の端面３７ａがともに両バイアスバネ３１，３２の端部に当接されて、それらのバイアスバネ３１，３２が同時に圧縮される。このため、両バイアスバネ３１，３２の合成した強い付勢力が弁体２６に対して、感温バネ３０の付勢力と反対方向に作用する。従って、図１０に示すように、この高温吐出域では、操作スピンドル３５の回転操作角度に対する吐水温度の調節量の勾配が、中温吐出域の場合よりも大きくなる。
【００３１】
そして、この高温吐出域の設定時には、操作スピンドル３５の回動調節量に応じて、両バイアスバネ３１，３２の付勢力により、弁体２６が水側バルブシート２３と接近する方向に移動されて、湯側バルブシート２５から離間した位置に配置される。この状態で、水側ポート１８から流入する小量の水と、湯側ポート１９から流入する大量の湯とが、湯水混合室２８内で混合されて、設定した高温度の混合水が吐水口２１から吐出され、蛇口先端５１またはシャワーヘッド５２から放出される。
【００３２】
さらに、操作スピンドル３５を高温吐水域の最高温度に回動設定した場合には、弁体２６が水側バルブシート２３と接合した位置に配置されて、湯側ポート１９から流入する湯のみが、水と混合されることなく吐水口２１から吐出される。この状態では、感温バネ３０が大きく圧縮されて、弁体２６に対する感温バネ３０の付勢力が増大されている。しかしながら、弁体２６に対しては感温バネ３０の付勢力と反対方向から、第１バイアスバネ３１及び第２バイアスバネ３２の合成した大きな付勢力が作用している。このため、感温バネ３０の付勢力の増大に伴って、弁体２６が水側バルブシート２３から離間する方向に移動されることはなく、水側ポート１８から湯水混合室２８内に冷水が流入するおそれはない。
【００３３】
従って、この実施形態によれば、以下のような効果を得ることができる。
（１）  この湯水混合栓１１においては、外径及び長さの異なったコイルバネよりなる一対のバイアスバネ３１，３２が、バルブボディ１６，１７内に非蓄力状態で同軸上にて並列に配設されている。そして、高温吐水域の設定時に、両バイアスバネ３１，３２の合成した大きな付勢力が弁体２６に対して、感温バネ３０の付勢力と反対方向へ作用するように構成されている。このため、高温吐水域の設定状態で、感温バネ３０が大きく圧縮されて、弁体２６に対する感温バネ３０の付勢力が増大されても、弁体２６が水側バルブシート２３から離間する方向に移動されることはない。よって、弁体２６の移動に伴い水が流入するおそれを確実に防止することができて、温度調節を正確に行うことができる。
【００３４】
また、低温吐水域の設定時には、両バイアスバネ３１，３２が非蓄力状態にあって、弁体２６に対する両バイアスバネ３１，３２の付勢力がしないように構成されている。このため、湯水混合栓１１の組み立て時に、バルブボディ１６，１７内に弁体２６、感温バネ３０、一対のバイアスバネ３１，３２等を含む諸部品を、感温バネ３０及び各バイアスバネ３１，３２の非蓄力状態で順に組み込むことができる。よって、その組み立て作業を容易かつ短時間に行うことができる。
【００３５】
（２）  この湯水混合栓１１においては、前記弁体２６の端面に、小径側の第２バイアスバネ３２の弁体２６側の端部を内周側から所定位置に位置決めするための位置決め部４１が設けられている。また、吐水温度設定部材３４における送り部材３６の端面のバネ押し部材３７には、大径側の第１バイアスバネ３１の弁体２６と反対側端部を外周側から所定位置に位置決めするための位置決め部３８が設けられている。
【００３６】
このため、一対のバイアスバネ３１，３２を非蓄力状態であるにも拘らず、バルブボディ１６，１７内の所定位置に対して位置ずれを生じることなく、同軸上で並列に位置決め配置することができる。よって、吐水温度設定部材３４により両バイアスバネ３１，３２が軸線方向に進退移動される際に、それらのバイアスバネ３１，３２が軸線と直交する方向へ変形したり位置ずれしたりするのを防止することができて、温度調節を正確に行うことができる。
【００３７】
（３）  この湯水混合栓１１においては、前記送り部材３６の端面のバネ押し部材３７に、その送り部材３６が弁体２６と接近する方向へ移動されたとき、小径側の第２バイアスバネ３２の弁体２６と反対側端部内に進入して、その端部を保持する保持部３９が設けられている。このため、中温吐水域及び高温吐水域の設定時に、第２バイアスバネ３２に位置ずれが発生するのを防止することができて、それらの吐水域出での温度調節を正確に行うことができる。
【００３８】
（変更例）
なお、この実施形態は、次のように変更して具体化することも可能である。
・  前記実施形態において、第１バイアスバネ３１及び第２バイアスバネ３２の両端の位置決め構成を任意に変更すること。例えば、弁体２６あるいはバネ押し部材３７に第１バイアスバネ３１の内径側を位置決めするリブを形成すること。
【００３９】
・  前記感温バネとして形状記憶金属以外の材料、例えば形状記憶合成樹脂により構成すること。
（他の技術的思想）
前記実施形態から把握される請求項以外の技術的思想は以下のとおりである。
【００４０】
（１）  バルブボディ内に配設された水側バルブシート及び湯側バルブシートと、それらのバルブシートに接離可能に対応するように、バルブボディ内に同軸上で軸線方向へ移動可能に配設された弁体と、その弁体を水側バルブシート及び湯側バルブシートのうちの一方と接近する方向に付勢する形状記憶材料よりなる感温バネと、弁体を水側バルブシート及び湯側バルブシートのうちの他方と接近する方向に付勢する複数のバイアスバネと、それらのバイアスバネを介して前記弁体を移動させて吐水温度を設定する吐水温度設定部材とを備えた湯水混合栓において、
前記各バイアスバネはバルブボディ内に同軸上にて並列に配設された外径及び長さの異なるコイルバネからなり、弁体に対してバイアスバネの付勢力が作用していないときには、弁体が低温吐水域に位置され、すくなくともひとつのバイアスバネの付勢力が弁体に作用しているときには弁体が中温吐水域に位置され、中温吐水域の状態よりも多くのバイアスバネの付勢力が弁体に作用しているときには弁体が高温吐水域に位置されるようにしたことを特徴とする湯水混合栓。
【００４１】
よって、高温吐水域の設定状態で、感温バネが大きく圧縮されて、弁体に対する感温バネの付勢力が増大されても、弁体が水側バルブシートから離間する方向に移動されることはない。従って、弁体の移動に伴い不要な冷水が流入するおそれを確実に防止することができて、温度調節を正確に行うことができる。
【００４２】
（２）  両バイアスバネのバネ力が異なることを特徴とした請求項１、請求項２、前記（１）項のうちのいずれか一項に記載の湯水混合栓。
（３）  前記吐水温度設定部材は、バルブボディ内に同軸上で回転可能に支持された操作スピンドルと、その操作スピンドルの回転に伴って弁体と接離する方向へ移動されるように、バルブボディ内に同軸上で軸線方向へ移動可能に配設された送り部材とから構成されていることを特徴とする請求項１、請求項２、前記（１）項または（２）項のうちのいずれか一項に記載の湯水混合栓。
【００４３】
（４）  位置決め手段として、前記弁体には小径側のバイアスバネの弁体側端部を所定位置に位置決めするための位置決め部を設け、送り部材には大径側のバイアスバネの弁体と反対側端部を所定位置に位置決めするための位置決め部を設けたことを特徴とする請求項２、前記（１）項、（２）項または（３）項のうちのいずれか一項に記載の湯水混合栓。
【００４４】
（５）  前記送り部材には、その送り部材が弁体と接近する方向へ移動されたとき、小径側のバイアスバネの弁体と反対側端部内に進入して、その端部を保持する保持部を設けたことを特徴とする請求項２、前記（１）項、（２）項（３）項または（４）項のうちのいずれか一項に記載の湯水混合栓。
【図面の簡単な説明】
【００４５】
【図１】一実施形態の湯水混合栓を用いた浴室の内部を示す斜視図。
【図２】一実施形態の湯水混合栓を示す断面図。
【図３】温度調節ユニットを示す分解斜視図。
【図４】図３の温度調節ユニットを低温吐水域の設定状態で示す断面図。
【図５】図４における円内の拡大図。
【図６】温度調節ユニットの中温吐水域の設定状態を示す断面図。
【図７】図６における円内の拡大図。
【図８】温度調節ユニットの高温吐水域の設定状態を示す断面図。
【図９】図８における円内の拡大図。
【図１０】一実施形態の温度調節ユニットの作動特性図。
【符号の説明】
【００４６】
１１…湯水混合栓、１４…温度調節ユニット、１５…調節ハンドル、１６…第１バルブボディ、１７…第２バルブボディ、２３…水側バルブシート、２５…湯側バルブシート、２６…弁体、３０…感温バネ、３１…第１バイアスバネ、３２…第２バイアスバネ、３４…吐水温度設定部材、３５…操作スピンドル、３６…送り部材、３７…バネ押し部材、３８…位置決め手段としての位置決め部、３９…位置決め手段としての保持部、４０…位置決め手段としての位置決め面、４１…位置決め手段としての位置決め部。
【図１】
2005133848.tif 000003
【図２】
2005133848.tif 000004
【図３】
2005133848.tif 000005
【図４】
2005133848.tif 000006
【図５】
2005133848.tif 000007
【図６】
2005133848.tif 000008
【図７】
2005133848.tif 000009
【図８】
2005133848.tif 000010
【図９】
2005133848.tif 000011
【図１０】
2005133848.tif 000012